(57)【特許請求の範囲】
【請求項１】
ダイヤルアップ接続によりインターネットに接続して前記インターネットから電子メールを受信する受信装置へ前記電子メールを送信するインターネットファクシミリ送信装置であって、
前記電子メールを前記インターネットへ送信するメール送信手段と、前記メール送信手段が前記電子メールを送信したならば前記電話回線網を介して前記受信装置へ前記電子メールを送信した旨と前記送信先が前記電子メールを前記インターネットから受信するタイミングに関する受信タイミング情報とを通知するメール送信通知手段と、を具備することを特徴とするインターネットファクシミリ送信装置。
【請求項２】
電話回線網を介してインターネットにダイヤルアップ接続するダイヤルアップ接続手段と、前記インターネットから電子メールを受信するメール受信手段と、前記電子メールの送信元である送信装置から前記電話回線網を介して前記電子メールを送信した旨と前記電子メールを前記インターネットから受信するタイミングに関する受信タイミング情報とを通知するメール送信通知を受け取り、前記受信タイミング情報に従って前記メール受信手段に前記電子メールを受信させる送信通知処理手段と、を具備することを特徴とするインターネットファクシミリ受信装置。
【請求項３】
ダイヤルアップ接続によりインターネットに接続して前記インターネットから電子メールを受信する受信装置へ前記電子メールを送信するインターネットファクシミリ送信方法であって、
前記電子メールを送信したならば前記電話回線網を介して前記受信装置へ前記電子メールを送信した旨と前記送信先が前記電子メールを前記インターネットから受信するタイミングに関する受信タイミング情報とを通知することを特徴とするインターネットファクシミリ送信方法。
【請求項４】
電子メールの送信元である送信装置から電話回線網を介して前記電子メールを送信した旨と前記電子メールを前記インターネットから受信するタイミングに関する受信タイミング情報とを通知するメール送信通知を受け取り、前記受信タイミング情報に従って前記電話回線網を介してインターネットにダイヤルアップ接続し、前記インターネットから電子メールを受信することを特徴とするインターネットファクシミリ受信方法。
【発明の詳細な説明】
【０００１】
【発明の属する技術分野】
本発明は、インターネットファクシミリ装置およびインターネットファクシミリ通信方法に関する。
【０００２】
【従来の技術】
従来、例えば、特開平８−２４２３２６号公報およびそれに対応する米国特許５，８８１，２３３号に開示されているようなインターネットファクシミリ装置（以下、ＩＦＡＸという）が開発されている。ＩＦＡＸがインターネットに接続する方法の１つにダイヤルアップがある。ダイヤルアップによりインターネットに接続するＩＦＡＸ（以下、ダイヤルアップＩＦＡＸ）は、インターネット・プロバイダが提供するメールサーバを利用することが一般的である。
【０００３】
【発明が解決しようとする課題】
従来のダイヤルアップＩＦＡＸでは、メールサーバの受信メールの有無は、プロバイダにダイヤルアップ接続し、次いでメールサーバにアクセスすることにより確認している。この動作を確認接続と呼ぶ。ダイヤルアップＩＦＡＸは、例えばメールサーバに受信メールがなくてもプロバイダに接続しなければならないので確認接続の空振りが起こり易い。この結果、ダイヤルアップ接続のための電話回線料およびプロバイダ使用料金（以下、接続料金という）。が無駄になってしまう。
【０００４】
また、メールサーバに受信メールがあったとしても、受信メールに添付された画情報のデータ形式がダイヤルアップＩＦＡＸで印刷できないものである場合、確認接続を行って受信メールを受信しても印刷できないので接続料金が無駄になる。
【０００５】
また、送信側から原稿を複数回に分けて送信した場合、受信側のダイヤルアップＩＦＡＸは全ての電子メールがプロバイダのメールサーバに届く前に確認接続を行い電子メールを受信することがある。この場合、原稿の一部だけが印刷されてしまう不都合がある。全ての電子メールがそろったところで１回だけ受信すれば原稿の全部をいっぺんに印刷できるので、この場合も接続料金の無駄が生じる。
【０００６】
本発明は、かかる点に鑑みてなされたものであり、ダイヤルアップＩＦＡＸにおいて接続確認の空振りを無くして接続料金を削減できるインターネットファクシミリ装置およびインターネットファクシミリ通信方法を提供することを目的とする。
【０００９】
【課題を解決するための手段】
本発明は、この課題を解決するために、ダイヤルアップ接続によりインターネットに接続してこのインターネットから電子メールを受信する受信装置へ電子メールを送信するに際し、送信装置がインターネットへ電子メールを送信したならば、送信装置は、電話回線網を介して受信装置へ、電子メールを送信した旨と電子メールをインターネットから受信するタイミングに関する情報とを通知する。受信装置では、この受信タイミングに関する情報に従って、インターネットにダイヤルアップ接続し、インターネットからこの電子メールを受信することとした。
【００１０】
これにより、受信装置は、送信装置が希望するタイミングでプロバイダに接続するので、例えば、全ての原稿を送信するまで受信を遅らせることにより、プロバイダ接続の回数を適正化して、接続料金の無駄を大幅に削減することができる。
【００１５】
【発明の実施の形態】
本発明の第１の態様に係るインターネットファクシミリ送信装置は、ダイヤルアップ接続によりインターネットに接続して前記インターネットから電子メールを受信する受信装置へ前記電子メールを送信するインターネットファクシミリ送信装置であって、前記電子メールを前記インターネットへ送信するメール送信手段と、前記メール送信手段が前記電子メールを送信したならば前記電話回線網を介して前記受信装置へ前記電子メールを送信した旨と前記電子メールに含まれる送信データに関する送信データ情報とを通知するメール送信通知手段と、を具備する構成を採る。
【００１６】
この構成により、受信装置に、送信データを正常に受信して印刷などできる場合にのみプロバイダに接続させるので、受信装置での接続料金の無駄を大幅に削減することができる。
【００１７】
本発明の第２の態様に係るインターネットファクシミリ送信装置は、ダイヤルアップ接続によりインターネットに接続して前記インターネットから電子メールを受信する受信装置へ前記電子メールを送信するインターネットファクシミリ送信装置であって、前記電子メールを前記インターネットへ送信するメール送信手段と、前記メール送信手段が前記電子メールを送信したならば前記電話回線網を介して前記受信装置へ前記電子メールを送信した旨と前記送信先が前記電子メールを前記インターネットから受信するタイミングに関する受信タイミング情報とを通知するメール送信通知手段と、を具備する構成を採る。
【００１８】
この構成により、受信装置に送信装置が希望するタイミングでプロバイダに接続させるので、例えば、全ての原稿を送信するまで受信を遅らせることにより、プロバイダ接続の回数を適正化して、接続料金の無駄を大幅に削減することができる。
【００１９】
本発明の第３の態様は、第１の態様に係るインターネットファクシミリ装置において、送信データは画情報であることとした。
【００２０】
本発明の第４の態様は、第１から第３の態様のいずれかに係るインターネットファクシミリ装置において、メール送信通知手段は、ファクシミリ通信プロトコルで通知を行うこととした。
【００２１】
本発明の第５の態様は、第４の態様に係るインターネットファクシミリ装置において、メール送信通知手段は、フェーズＢ、フェーズＣなどのファクシミリ手順で通知を行うこととした。
【００２２】
本発明の第６の態様は、第４の態様に係るインターネットファクシミリ装置において、メール送信通知手段は、呼手順で通知を行うこととした。
【００２３】
本発明の第７の態様は、第１または第２の態様に係るインターネットファクシミリ装置において、メール送信通知手段は、受信装置が通知を認識する機能を有していないならばファクシミリ通信により書面で通知することとした。
【００２４】
この構成により、メール送信通知を認識できない受信装置にも電子メールを送信したこと、および、送信データに関する情報または電子メールを受信する適切なタイミングを通知することができる。
【００２５】
本発明の第８の態様に係るインターネットファクシミリ受信装置は、電話回線網を介してインターネットにダイヤルアップ接続するダイヤルアップ接続手段と、前記インターネットから電子メールを受信するメール受信手段と、前記電子メールの送信元である送信装置から前記電話回線網を介して前記電子メールを送信した旨と前記電子メールに含まれる送信データに関する送信データ情報とを通知するメール送信通知を受け取り、前記送信データ情報から前記送信データを受信可能であると判定したならば前記メール受信手段に前記電子メールを受信させる送信通知処理手段と、を具備する構成を採る。
【００２６】
この構成により、送信データを正常に受信して印刷などできる場合にのみプロバイダに接続するので、接続料金の無駄を大幅に削減することができる。
【００２７】
本発明の第９の態様に係るインターネットファクシミリ受信装置は、電話回線網を介してインターネットにダイヤルアップ接続するダイヤルアップ接続手段と、前記インターネットから電子メールを受信するメール受信手段と、前記電子メールの送信元である送信装置から前記電話回線網を介して前記電子メールを送信した旨と前記電子メールを前記インターネットから受信するタイミングに関する受信タイミング情報とを通知するメール送信通知を受け取り、前記受信タイミング情報に従って前記メール受信手段に前記電子メールを受信させる送信通知処理手段と、を具備する構成を採る。
【００２８】
この構成により、送信装置が希望するタイミングでプロバイダに接続するので、例えば、全ての原稿を送信するまで受信を遅らすことにより、プロバイダ接続の回数を適正化して、接続料金の無駄を大幅に削減することができる。
【００２９】
本発明の第１０の態様に係るインターネットファクシミリ送信方法は、ダイヤルアップ接続によりインターネットに接続して前記インターネットから電子メールを受信する受信装置へ前記電子メールを送信するインターネットファクシミリ送信方法であって、前記電子メールを送信したならば前記電話回線網を介して前記受信装置へ前記電子メールを送信した旨と前記電子メールに含まれる送信データに関する送信データ情報とを通知する。
【００３０】
この方法により、受信装置に、送信データを正常に受信して印刷などできる場合にのみプロバイダに接続させるので、受信装置での接続料金の無駄を大幅に削減することができる。
【００３１】
本発明の第１１の態様に係るインターネットファクシミリ送信方法は、ダイヤルアップ接続によりインターネットに接続して前記インターネットから電子メールを受信する受信装置へ前記電子メールを送信するインターネットファクシミリ送信方法であって、前記電子メールを送信したならば前記電話回線網を介して前記受信装置へ前記電子メールを送信した旨と前記送信先が前記電子メールを前記インターネットから受信するタイミングに関する受信タイミング情報とを通知する。
【００３２】
この方法により、送信装置に、所望のタイミングでプロバイダに接続させるので、例えば、全ての原稿を送信するまで受信を遅らせることにより、プロバイダ接続の回数を適正化して、受信装置での接続料金の無駄を大幅に削減することができる。
【００３３】
本発明の第１２の態様に係るインターネットファクシミリ受信方法は、電子メールの送信元である送信装置から電話回線網を介して前記電子メールを送信した旨と前記電子メールに含まれる送信データに関する送信データ情報とを通知するメール送信通知を受け取り、前記送信データ情報から前記送信データを受信可能であると判定したならば、前記電話回線網を介してインターネットにダイヤルアップ接続し、前記インターネットから電子メールを受信する。
【００３４】
この方法により、送信データを正常に受信して印刷などできる場合にのみプロバイダに接続するので、接続料金の無駄を大幅に削減することができる。
【００３５】
本発明の第１３の態様に係るインターネットファクシミリ受信方法は、電子メールの送信元である送信装置から電話回線網を介して前記電子メールを送信した旨と前記電子メールを前記インターネットから受信するタイミングに関する受信タイミング情報とを通知するメール送信通知を受け取り、前記受信タイミング情報に従って前記電話回線網を介してインターネットにダイヤルアップ接続し、前記インターネットから電子メールを受信する。
【００３６】
この方法により、送信装置が希望するタイミングでプロバイダに接続するので、例えば、全ての原稿を送信するまで受信を遅らすことにより、プロバイダ接続の回数を適正化して、接続料金の無駄を大幅に削減することができる。
【００３７】
本発明の第１４の態様に係るインターネットファクシミリ送信装置は、ダイヤルアップ接続によりインターネットに接続して前記インターネットから電子メールを受信する受信装置へ前記電子メールを送信するインターネットファクシミリ送信装置であって、前記電子メールを前記インターネットへ送信するメール送信手段と、前記電話回線網を介してファクシミリ通信により画情報を送信するファクシミリ制御手段と、前記メール送信手段が前記電子メールを送信したならば、前記ファクシミリ制御手段に前記電話回線網を介して前記受信装置へ接続せしめ、ファクシミリ手順の送信端末識別信号で通常のファクシミリ通信で使用する識別番号に代えて前記電子メールを送信した旨を示す所定の番号を送信させることにより、前記電子メールを送信した旨を通知するメール送信通知手段と、を具備する構成を採る。
【００３８】
この構成により、電子メール送信通知を既存のファクシミリ制御手段を用いて極めて容易に行うことができるとともに、受信装置のプロバイダ接続の回数を適正化して、接続料金の無駄を大幅に削減することができる。
【００３９】
本発明の第１５に係るインターネットファクシミリ受信装置は、電話回線網を介してインターネットにダイヤルアップ接続するダイヤルアップ接続手段と、前記インターネットから電子メールを受信するメール受信手段と、前記電話回線網を介してファクシミリ通信により画情報を受信するファクシミリ制御手段と、前記ファクシミリ制御手段が前記電子メールの送信元である送信装置から受信したファクシミリ手順の送信端末識別信号から識別信号を認識し、この識別番号を所定の番号と比較し、両者が一致したならば前記メール受信手段に前記電子メールを受信させる送信通知処理手段と、を具備する構成を採る。
【００４０】
この構成により、プロバイダ接続の回数を適正化して、接続料金の無駄を大幅に削減することができる。
【００４１】
本発明の第１６の態様に係るインターネットファクシミリ送信方法は、ダイヤルアップ接続によりインターネットに接続して前記インターネットから電子メールを受信する受信装置へ前記電子メールを送信するインターネットファクシミリ送信方法であって、前記電子メールを送信したならば電話回線網を介して前記受信装置に接続しファクシミリ手順の送信端末識別信号で通常のファクシミリ通信で使用する識別番号に代えて前記電子メールを送信した旨を示す所定の番号を送信することにより前記電子メールを送信した旨を通知する。
【００４２】
この方法により、電子メール送信通知を既存のファクシミリ手順の送信端末識別信号を用いて極めて容易に行うことができるとともに、受信装置のプロバイダ接続の回数を適正化して、接続料金の無駄を大幅に削減することができる。
【００４３】
本発明の第１７の態様に係るインターネットファクシミリ送信方法は、電子メールの送信元である送信装置から電話回線網を介して受信したファクシミリ手順の送信端末識別信号から識別番号を認識し、この識別信号を所定の番号と比較し、両者が一致したならば前記電話回線網を介してインターネットにダイヤルアップ接続し、前記インターネットから電子メールを受信する。
【００４４】
この方法により、電子メール送信通知を既存のファクシミリ手順の送信端末識別信号を用いて極めて容易に行うことができるとともに、プロバイダ接続の回数を適正化して、接続料金の無駄を大幅に削減することができる。
【００４５】
本発明の第１８の態様に係るインターネットファクシミリ送信装置は、ダイヤルアップ接続によりインターネットに接続して前記インターネットから電子メールを受信する受信装置へ前記電子メールを送信するインターネットファクシミリ送信装置であって、前記電話回線網を介して前記インターネットにダイヤルアップ接続するダイヤルアップ接続手段と、前記電子メールを前記インターネットへ送信するメール送信手段と、前記前記電話回線網を介してファクシミリ通信により画情報を送信するファクシミリ制御手段と、前記メール送信手段が前記電子メールを送信したならば、前記ファクシミリ制御手段に前記電話回線網を介して前記受信装置の電話番号へ発呼せしめ、前記電話回線網に設けられた交換機が前記受信装置へ発信者番号通知を行った後発呼を停止させることにより、前記電子メールを送信した旨を通知するメール送信通知手段と、を具備する構成を採る。
【００４６】
本発明の第１９の態様に係るインターネットファクシミリ受信装置は、電話回線網を介してインターネットにダイヤルアップ接続するダイヤルアップ接続手段と、前記インターネットから電子メールを受信するメール受信手段と、前記電話回線網を介してファクシミリ通信により画情報を受信するファクシミリ制御手段と、前記電話回線網に設けられた交換機からの発信者番号通知を受信して発信者番号を認識する発信者番号認識手段と、前記発信者番号認識手段が認識した発信者番号を予め登録したメール送信者番号と比較し、両者が一致したならば前記メール受信手段に前記電子メールを受信させる送信通知処理手段と、を具備する構成を採る。
【００４７】
これらの構成により、受信装置は、決った相手からの着呼があった場合にインターネットにダイヤルアップ接続し、インターネットからこの電子メールを受信するので、受信装置のプロバイダ接続の回数を適正化し、接続料金の無駄を大幅に削減することができるとともに、送信装置は、受信装置へ発呼のみを行うことにより電子メールを送信したことを通知できるので、通話料が発生しなくて済む。
【００４８】
本発明の第２０の態様に係るインターネットファクシミリ送信方法は、ダイヤルアップ接続によりインターネットに接続して前記インターネットから電子メールを受信する受信装置へ前記電子メールを送信するインターネットファクシミリ送信方法であって、前記電子メールを送信したならば電話回線網を介して前記受信装置の電話番号へ発呼し、前記電話回線網に設けられた交換機が前記受信装置へ発信者番号通知を行った後発呼を停止することにより、前記電子メールを送信した旨を通知する。
【００４９】
本発明の第２１の態様に係るインターネットファクシミリ受信方法は、電話回線網に設けられた交換機からの発信者番号通知を受信して発信者番号を認識し、認識した発信者番号を予め登録したメール送信者番号と比較し、両者が一致したならば前記電話回線網を介してインターネットにダイヤルアップ接続し、前記インターネットから電子メールを受信する。
【００５０】
これらの方法により、受信側では、決った相手からの着呼があった場合にインターネットにダイヤルアップ接続し、インターネットからこの電子メールを受信するのでプロバイダ接続の回数を適正化し、接続料金の無駄を大幅に削減することができるとともに、送信側では、受信側へ発呼のみを行うことにより電子メールを送信したことを通知できるので、通話料が発生しなくて済む。
【００５１】
以下、本発明の実施形態について、図面を参照して詳細に説明する。
【００５２】
（実施の形態１）
図１は、本発明の実施の形態１に係るＩＦＡＸが動作するネットワークシステムを示す概念図である。
【００５３】
送信側のＩＦＡＸ１は、ダイヤルアップにより送信側プロバイダ２に接続し、インターネット３に接続する。送信側プロバイダ２は、メールサーバ機能を具備している。送信側のＩＦＡＸ１は、送信側プロバイダ２に電子メール７を送信する。送信側プロバイダ２は、インターネット３を介して受信側プロバイダ４に繋がっている。受信側プロバイダ４もメールサーバ機能を具備し、受信側のポストボックスを持っている。送信側プロバイダ２は、受信側プロバイダ４に電子メール７を転送し、受信側プロバイダ４は受信側のポストボックスに電子メール７を格納する。
【００５４】
送信側のＩＦＡＸ１は、送信側プロバイダ２に電子メール７を送信した後、アナログ／デジタル公衆電話回線網（ＰＳＴＮ／ＩＳＤＮ）６を介して、受信側のＩＦＡＸ５へ、メール送信通知を送信する。
【００５５】
その後、受信側のＩＦＡＸ５は、この受信側プロバイダ４にダイヤルアップで接続し、自分のポストボックスに格納された電子メール７を受信する。受信側のＩＦＡＸ５は、受信した電子メールの内容を通常のファクシミリと同様に記録紙に印刷する。
【００５６】
メール送信通知は、公衆電話回線網上で使用される既存の通信プロトコルである、ファクシミリ通信プロトコルを利用して行われる。
【００５７】
次に、送信側および受信側のＩＦＡＸ１，５のハードウエア構成について説明する。図２は、上記実施の形態１に係るインターネットファクシミリ装置のハードウエアを示すブロック図である。
【００５８】
ＣＰＵ１１は、プログラムを実行し、装置全体の制御を行う。ＲＯＭ１２は、ＣＰＵ１１が実行するプログラムを格納する。
【００５９】
ＲＡＭ１３は、プログラムを実行する作業エリアおよび電子メール、画像ファイル等の各種データを一時的に記憶するバッファエリアを有する。
【００６０】
モデム１４は、送受信データの変調および復調を行うものであり、ＦＡＸモデム機能およびデータモデム機能を有する。ＮＣＵ（Ｎｅｔｗｏｒｋ  Ｃｏｎｔｒｏｌ  Ｕｎｉｔ）１５は、ＰＳＴＮ１６の閉結及び開放を行うとともに、相手先のファックス番号に対応したダイヤルパルスの送出及び着信を検出する機能等を備えている。
【００６１】
デジタル通信回路１７は、ＩＳＤＮ１８に接続され、デジタル信号としての送信データを電圧変化に変換してＩＳＤＮ１８上に送出し、かつ、ＩＳＤＮ１８上の電圧変化を受信データとしてデジタル信号に変換する。
【００６２】
スキャナ１９は、原稿を読み取り画情報を得る。プリンタ２０は、受信した画情報を含む各種データを印刷する。
【００６３】
パネル操作部２１は、ダイヤルキーやタッチパネルを備え、相手先の指定、送信開始指示等のオペレータによる操作を受け取る。タイマ２２は、時間を計測するために設けられている。
【００６４】
ＲＯＭ１２にはプログラムが格納されており、ＣＰＵ１１がそのプログラムを実行する。その結果として実現される機能について以下説明する。図３は、上記実施の形態１に係るＩＦＡＸ１、５の機能を示すブロック図である。
【００６５】
ＩＦＡＸ１は、ファクシミリ制御部１００、スキャナ制御部２００およびプリンタ制御部３００を備え、モデム１４とデジタル通信回路１７、スキャナ１９およびプリンタ２０の各処理部を制御している。
【００６６】
また、ＩＦＡＸ１、５は、ＩＦＡＸとしての機能を実現するＩＦＡＸ処理部４００を備えている。このＩＦＡＸ処理部４００は、モデム１４またはデジタル通信回路１７を用いて、プロバイダ２、４に接続し、インターネットを経由して電子メールを送受信する。すなわち、スキャナ１９で読み取った画情報を電子メールに添付し、この電子メールをプロバイダ２、４が提供するメールサーバを介して送信先に送信する。送信先では、電子メールを受信するとその内容（テキスト本文および画情報を含む）をプリンタ２０で印刷する。
【００６７】
図４は、上記実施の形態１に係るインターネットファクシミリ装置のＩＦＡＸ処理部を示すブロック図である。
【００６８】
図３に示すスキャナ制御部２００は、スキャナ１９が読み込んだ生イメージデータ（例えば、ビットマップデータ）をＩＦＡＸ処理部４００に送る。ＩＦＡＸ処理部４００では、生イメージデータを、圧縮伸長部４０１で例えばＭＨ、ＭＲ、ＭＭＲのような圧縮形式で圧縮し、圧縮ファイルを得る。圧縮は、原稿１ページ単位で行われる。これらの圧縮ファイルを、ＴＩＦＦ変換部４０２で１つのＴＩＦＦ（Ｔａｇ  Ｉｍａｇｅ  Ｆｉｌｅ  Ｆｏｒｍａｔ）ファイルに変換する。
【００６９】
メール作成部４０３は、パネル操作部２１で指定した宛先メールアドレスに宛てた電子メールを作成する。より詳細には、メール作成部４０３は、この宛先メールアドレスを電子メールのヘッダ部の宛先フィールド［Ｔｏ：］に入れる。また、メール作成部４０３は、ＴＩＦＦ変換部４０２からのＴＩＦＦファイルを、例えばＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）  に従って電子メールの添付データ部に添付し、電子メールを生成する。また、ＩＦＡＸ処理部４００は、ファクシミリ制御部１００で受信したファクシミリデータを電子メールに変換することもできる。すなわち、ファクシミリデータとして受信した圧縮ファイルをＴＩＦＦファイルに変換し、このＴＩＦＦファイルを電子メールに添付し、電子メールを生成する。
【００７０】
生成した電子メールは、送信側プロバイダ２のメールサーバに転送される。このとき、メール送信部４０４は、オートダイヤラ４０５にプロバイダ２、４へのダイヤルアップ接続を指示する。オートダイヤラ４０５は、モデム１４またはデジタル通信回路１７によりプロバイダ２、４の電話番号に発呼する。プロバイダ２、４との間に回線を設立すると、所定の手順によりインターネット３にログオンする。ログオン後、メール送信部４０４は、例えばＳＭＴＰのようなメール転送プロトコルに従って、電子メールをプロバイダ２、４のメールサーバに転送する。転送終了後、オートダイヤラ４０５は、所定の手順によりインターネットからログオフし、回線を開放する。
【００７１】
また、ＩＦＡＸ処理部４００では、メール受信部４０６は、定期的（自動）にまたはユーザの指示（手動）により、オートダイヤラ４０５にプロバイダ２、４へのダイヤルアップ接続を指示する。オートダイヤラ４０５がインターネットにログオンした後、メール受信部４０６は、例えばＰＯＰ３などのメール転送プロトコルに従って、プロバイダ２、４のメールサーバから電子メールを受信する。受信終了後、オートダイヤラ４０５はインターネット３からログオフし、回線を開放する。
【００７２】
電子メールを受信すると、バイナリ変換部４０７は、電子メールに含まれる添付ファイルを、テキストコードからバイナリデータに変換し、ＴＩＦＦファイルを得る。得られたＴＩＦＦファイルを、ＴＩＦＦ展開部４０８が展開し、圧縮ファイルを得る。この圧縮ファイルを、圧縮伸長部４０１で伸長し、生イメージデータを得る。この生イメージデータをプリンタ２０で印刷する。
【００７３】
ＩＦＡＸ１、５は、メール送信部４０４が電子メールを送信した後、ファクシミリ手順に従って電話回線網（ＰＳＴＮ１６／ＩＳＤＮ１８）上で受信側にメール送信通知を行う。このために、ＩＦＡＸ１、５のＩＦＡＸ制御部４００は、メール送信通知生成部４０９およびメール送信通知処理部４１０を備えている。以下の説明では、説明の便宜上、送信側のＩＦＡＸ１がメール送信通知を送信し、受信側のＩＦＡＸ５がメール送信通知を受信すると仮定して説明するが、当然のことながら、ＩＦＡＸ１，５は同じ構成であっても、違う構成であっても良い。
【００７４】
メール送信通知生成部４０９は、メール送信部４０４が電子メールを受信側に送信したことを通知するメール送信通知を生成する。このメール送信通知は、メールを送信した旨を示す情報（以下、送信済み通知情報という）と、メールに含まれる送信データに関する情報（以下、送信データ情報という）と、受信側がメールサーバからメールの取り出しに関する情報（以下、取出情報という）を少なくとも１つ含んでいる。
【００７５】
ここで、送信データ情報は、例えば、送信した電子メールに含まれる画像ファイルのファイル形式（例えば、ＴＩＦＦ、ＢＭＰ（ビットマップ）、ＪＰＥＧ、ＪＢＩＧ等）、画像データの圧縮形式（ビットマップ、ＪＰＥＧ、ＪＢＩＧ、ＭＨ、ＭＲ、ＭＭＲ等）、画像データの色数、原稿枚数、画情報のメモリ容量、画情報のメモリ容量、送信者（差出人）情報、等を含む。
【００７６】
また、取出情報は、例えば、メールを取り出す時間の指定、メール送信通知からメールの取り出しまでの経過時間、または、複数の原稿を何回かに分けて送信する場合に、送信の最終回のメール送信通知を受信するまでメールの取り出しを延期する旨等である。
【００７７】
メール送信通知生成部４０９は、生成したメール送信通知をファクシミリ制御部１００に渡す。ファクシミリ制御部１００は、上述のメール送信通知の各情報をファクシミリ手順に従って、受信側のＩＦＡＸ５へ送信する。具体的には、メール送信通知生成部４０９は、メール送信部４０４によるメール送信処理が終了した後、メール送信通知の各情報を生成する。その後、ファクシミリ制御部１００の制御下でモデム１４またはデジタル通信回路１７に受信側のＩＦＡＸ５のファクシミリ番号を発呼させ、受信側のＩＦＡＸ５との間で回線を設立する。次いで、ファクシミリ制御部１００は、受信側のＩＦＡＸ５のファクシミリ制御部１００との間でファクシミリ通信を実行する。このファクシミリ通信は、呼設定（フェーズＡ）、ファクシミリ手順（フェーズＢ，Ｃ，Ｄ）および呼復旧（フェーズＥ）で構成される。送信側のファクシミリ制御部１００は、これらのフェーズのいずれかで受信側に送信されるファクシミリ制御信号の中で受信側にメール送信通知の各情報を提示する。このファクシミリ通信では、実体的な画信号の送信は必ずしも必要ない。本実施の形態１では、ファクシミリ手順のファクシミリ制御信号中にメール送信通知の各情報を含めている。
【００７８】
受信側のＩＦＡＸ５のメール送信通知処理部４１０は、ファクシミリ制御信号に含まれるメール送信通知の各情報を識別し、識別した各情報に基づいてメール受信部４０６を制御して電子メールの受信を実行する。
【００７９】
第１に、メール送信通知処理部４１０は、送信データ情報から電子メールに添付された画像ファイルを自機で受信可能か否か判定する。より具体的には、（１）画像ファイルのファイル形式が自機で許容可能か否か、（２）画像データの圧縮形式が自機で伸長可能か否か（画像データの符号化形式が自機で復号可能か否か）、（３）画像データの色数や解像度が自機で出力可能か否か、（４）送信データの容量が自機の受信メモリの容量を超えているか否か、（５）原稿枚数が自機の印刷用紙の残量を超えているか否か等を判定する。すなわち、画像ファイルを自機で受信可能であるとは、電子メールの添付ファイルデータを有効に取り扱えることである。ここで、画像ファイルを受信できないと判断した場合、ダイヤルアップ接続をスキップすることにより、無駄なダイヤルアップ接続を無くすことができる。
【００８０】
第２に、メール送信通知処理部４１０は、取出情報に従って、メール受信部４０６による受信側プロバイダ４のメールサーバからの電子メールの取り出しを制御する。例えば、（１）取出情報で電子メールの取り出し時間（年，月，日，時など）が指定されているならば、メール受信部４０６に指定時間に電子メールの取り出しを行わせる。また、（２）取出情報でメール送信通知からメールの取り出しまでの待機時間が指定されている場合、指定された待機時間が経過した後電子メールの取り出しを行わせる。また、（３）取出情報で、送信の最終回のメール送信通知を受信するまでメールの取り出しを延期する旨が指示されている場合、電子メール受信部４０６に最終回のメール送信通知を受信した後に全ての電子メールの取り出しを行わせる。このような制御によって、ダイヤルアップ接続を適切なタイミング、換言すれば、送信側の意図するタイミングで行わせることにより、無駄なダイヤルアップ接続を無くすことができる。
【００８１】
本実施の形態１では、メール送信通知には、送信済み通知情報の他に、送信データ情報として電子メールに添付した送信ファイルのデータ形式と、取出情報としてメール送信通知後の待機時間が含まれている。
【００８２】
また、ＩＦＡＸ１、５は、自機がメール送信通知を受信する能力（以下、通知受信機能という）があることを相手方に知らせる非標準能力通知部４１１と、相手方からの通知受信能力の通知を検知する非標準能力検知部４１２とを備えている。非標準能力通知部４１１は、例えば、非標準端末機能信号（ＮＳＦ）の中で受信側に通知受信能力を提示する。この提示は、メール送信通知の受信に先だって行われる。これにより送信側の非標準能力検知部４１２が通知受信能力を受信側のＩＦＡＸ５が有することがわかった場合、メール送信通知生成部４０９にメール送信通知を行わせる。一方、受信側のＩＦＡＸ５が通知受信能力を有しないことがわかった場合、受信側にメール送信済みを通知するＦＡＸ文書（以下、メール送信通知書という）をファクシミリで送信する。このＦＡＸ文書のフォーマット４１３はＲＯＭ１２などに格納されている。
【００８３】
以下、上記構成からなる送信側および受信側のＩＦＡＸ１、５間で電子メールにより原稿を送受信するフローについて説明する。
【００８４】
まず、ファクシミリ通信プロトコルの非標準手順でメール送信通知を行う場合について説明する。
【００８５】
図５は、上記実施の形態１に係る送信側のインターネットファクシミリ装置の動作を示すフロー図である。図６は、上記実施の形態１に係る受信側のインターネットファクシミリ装置の動作を示すフロー図である。
【００８６】
まず、図５に示すように、ＩＦＡＸ１のパネル操作部２１に設けられたスタートキーが押し下げられると（ステップ（以下、ＳＴという）５０１）、ＩＦＡＸ処理部４００の電子メール生成部４０３は、上述のように、原稿を読み取って得た画情報をＴＩＦＦファイルに変換し、このＴＩＦＦファイルを添付した電子メールを生成する（ＳＴ５０２）。
【００８７】
電子メールを生成すると、メール送信部４０４は、オートダイヤラ４０５を制御し、送信用プロバイダ２にダイヤルアップ接続を試みる（ＳＴ５０３）。送信用プロバイダ２への接続が完了したならば（ＳＴ５０４）、メール送信部４０４は、電子メールを送信側プロバイダ２のメールサーバに送信し始める（ＳＴ５０５）。この後、電子メールの送信が完了したならば（ＳＴ５０６）、メール送信部４０４は送信用プロバイダ２との接続を切断し、電話回線を開放する（ＳＴ５０７）。
【００８８】
ＳＴ５０１〜ＳＴ５０７の電子メールの送信が完了した後、ＩＦＡＸ１は、ファクシミリ通信によるメール送信通知を行う。まず、ＩＦＡＸ１のファクシミリ制御部１００は、モデム１４を制御して、電話回線を閉結し、電子メールの受信側のＩＦＡＸ５のファクシミリ番号を発呼させる（ＳＴ５０８）。その後、回線の設立を待つ（ＳＴ５０９）。
【００８９】
図６に示すように、受信側のＩＦＡＸ５は、送信側のＩＦＡＸ１から着呼があると（ＳＴ６０１）、回線の設立を待つ（ＳＴ６０２）。回線が設立すると、非標準能力通知部４１１は、ＩＦＡＸ５の通知受信機能ががアクティブか否か判定する（ＳＴ６０３）。通知受信機能がアクティブである場合、非標準能力通知部４１１は、送信側のＩＦＡＸ５へ「通知受信機能あり」を提示するＮＳＦを送信する（ＳＴ６０４）。
【００９０】
図５に戻って、非標準能力検知部４１２は、ＮＳＦ中で「通知受信能力あり」の情報が含まれているか否か判定する（ＳＴ５１０）。「通知受信能力あり」の情報が含まれているならば、メール送信通知生成部４０９は、メール送信通知の各情報を生成し、ファクシミリ制御信号に含めて受信側のＩＦＡＸ５へ送信する（ＳＴ５１１）。一方、「通知受信能力あり」の情報がＮＳＦに含まれていないならば、メール送信通知書を画信号として送信する（ＳＴ５１２）。ファクシミリ制御信号または画信号によるメール送信通知が終了した後、送信側のＩＦＡＸ１は、受信側のＩＦＡＸ５との回線を切断する（ＳＴ５１３）。
【００９１】
一方、受信側のＩＦＡＸ５のメール送信通知処理部４１０は、ファクシミリ制御信号にメール送信通知の各情報が含まれているか否か判定する（ＳＴ６０５）。ファクシミリ制御信号にメール送信通知が含まれている場合、メール送信通知処理部４１０は、ファクシミリ制御部１００に回線を切断させる（ＳＴ６０６）。次いで、メール送信通知処理部４１０は、メール送信通知に基づいて電子メールに添付された送信ファイルのデータ形式が、送信側のＩＦＡＸ５が受信可能な形式か否か判定する（ＳＴ６０７）。ここで、送信ファイルのデータ形式が受信可能な形式でない場合、例えばパネル操作部２１に設けたディスプレイ等を用いて、ユーザに電子メールを受信できない旨を報知し（ＳＴ６０８）、ダイヤルアップ接続することなく処理を終了する。
【００９２】
なお、ここで、非標準能力通知部４１１は、「通知受信能力なし」の情報をＮＳＦに含めるようにしても良い。
【００９３】
一方、送信ファイルのデータ形式が受信可能な形式である場合、メール送信通知処理部４１０は、メール送信通知に基づいて、送信側から指定された待機時間をタイマ２２で測定する（ＳＴ６０９）。待機時間が経過したならば、メール受信部４０６は、オートダイヤラ４０５に受信側プロバイダ４への接続を自動的に行わせる（ＳＴ６１０）。接続完了後、メール受信部４０６は、受信側プロバイダ４のメールサーバから電子メールを受信する（ＳＴ６１１）。その後、画情報を含む電子メールの内容は、プリンタ２０で印刷される。
【００９４】
ＳＴ６０３で受信側のＩＦＡＸ５が通知受信機能を有しない場合、および、ファクシミリ制御信号にメール送信通知の各情報が含まれていない場合、受信側のＩＦＡＸ５は、通常通りのファクシミリ受信を行う（ＳＴ６１２）。ここで受信したＦＡＸ文書がメール送信通知書であるか否か判定し（ＳＴ６１３）、もしメール送信通知書であれば、ユーザによる手動による電子メールの受信の指示に従って、メール受信部４０６は、オートダイヤラ４０５に受信側プロバイダ４への接続を行わせる（ＳＴ６１４）。接続完了後、メール受信部４０６は、受信側プロバイダ４のメールサーバから電子メールを受信する（ＳＴ６１１）。その後、画情報を含む電子メールの内容は、プリンタ２０で印刷される。
【００９５】
次に、図５に示すＳＴ５１０でのメール送信通知について詳細に説明する。図７〜図９は、上記実施の形態１におけるメール送信通知を含む非標準手順の例をそれぞれ示す図である。
【００９６】
なお、図７〜図９中の記号の意味は以下の通りである。ＣＥＤ：被呼局識別信号、ＮＳＦ：非標準端末機能信号、ＤＩＳ：デジタル識別信号、ＮＳＳ：非標準機能識別設定信号、ＤＣＳ：デジタル信号命令信号、ＴＣＦ：トレーニングチェック、ＣＦＲ：受信準備確認信号、ＤＡＴＡ：通知データ、ＥＯＰ：手順終了信号、ＭＣＦ：データ確認信号、ＤＣＮ：切断命令、
【００９７】
図７に示す例では、フェーズＢの非標準機能設定信号（ＮＳＳ）７０１の中に、ＮＳＳコード７０２に続いて、メール送信済みを示す送信済みコード７０３、送信ファイルのデータ形式を示すデータ形式コード７０４、および、待機時間を示す待機時間コード７０５を順次挿入している。
【００９８】
また、図８に示す例では、フェーズＢの情報フィールド８０１の中に、情報フィールドコード８０２に続いて、送信済みコード８０３、データ形式コード８０４、および、待機時間コード８０５を順次挿入している。
【００９９】
ここまで説明した例では、フェーズＢ、すなわちメッセージ送出前の前手順のファクシミリ制御信号の中にメール送信通知の各情報を含めている。次の例では、フェーズＣで画信号に代えてメール送信通知を含むデータ信号を送出している。すなわち、図９に示すように、ＮＳＳ９０１中にこの通信がメール送信通知用通信であることを示すコードを挿入する。そして、データ信号９０２の中に、送信済みコード９０３、データ形式コード９０４、および、待機時間コード９０５を順次挿入している。
【０１００】
この例では、メール送信通知の各情報をデータとして提示するので、情報（例えば、原稿枚数、送信側ＩＦＡＸ１のメールアドレス等）を容易に提示できる点で優れている。
【０１０１】
上述の実施の形態１は、以下の効果を奏する。第１に、送信側のＩＦＡＸ１は、インターネット経由で電子メールを受信側のＩＦＡＸ５へ送信した後、ファクシミリ通信により電子メールを送信したことを通知し、受信側のＩＦＡＸ５は、この通知があった後で受信側プロバイダ４にダイヤルアップ接続し、電子メールを受信する。これにより、受信側のＩＦＡＸ５は、確認接続の空振りを回避し、接続料金の無駄を抑制することができる。
【０１０２】
第２に、送信側のＩＦＡＸ１は、インターネット経由で電子メールを受信側のＩＦＡＸ５へ送信した後、ファクシミリ通信により電子メールの送信データ情報を送信し、受信側のＩＦＡＸ５は、送信データ情報から電子メールに含まれる送信データを受信可能か否か判定し、受信可能な場合にのみ受信側プロバイダ４にダイヤルアップ接続し、電子メールを受信する。これにより、受信側のＩＦＡＸ５は、受信できないまたは受信できても有効に取り扱えない電子メールのためにダイヤルアップ接続を行うことを回避し、接続料金の無駄を抑制することができる。ここで、送信データを受信可能か否かとは、電子メールをプロバイダから取り出せるか否かではなく、取り出した電子メールの内容をプリンタ２０で印刷し、ユーザにその内容を知らせることができるか否かを意味する。
【０１０３】
第３に、送信側のＩＦＡＸ１は、インターネット経由で電子メールを受信側のＩＦＡＸ５へ送信した後、ファクシミリ通信により電子メールの取り出しの時間、タイミングを指示する取出情報を送信し、受信側のＩＦＡＸ５は、この取出情報に従って受信側プロバイダ４にダイヤルアップ接続し、電子メールを受信する。これにより、受信側のＩＦＡＸ５は、送信側のＩＦＡＸ１のユーザの意思に従って電子メールを受信側プロバイダ４から受信することができる。この結果、例えば、送信側のＩＦＡＸ１から全ての電子メールメッセージを送信した後に受信側のＩＦＡＸ５に電子メールを一度のダイヤルアップ接続で全て受信させることにより、受信側のＩＦＡＸ５は、ダイヤルアップ接続の回数を削減し、接続料金の無駄を抑制することができる。
【０１０４】
第４に、上記送信側のＩＦＡＸ１は、受信装置からのＮＳＦが「通知受信能力あり」の情報を含むか否か判定し、この情報を含む場合ファクシミリ制御信号中でメール送信通知の各情報を送信する一方、この情報を含まない場合メール送信通知書をファクシミリ送信する。これにより、受信装置が通知受信能力を有していない他社製品や旧型製品であった場合、または、受信装置が通知受信能力を有しているがその機能がアクティブでなかった場合でも電子メールを送信したことを自動的に知らせることができる。
【０１０５】
（実施の形態２）
上記実施の形態１ではファクシミリ手順（フェーズＢ、Ｃ）でメール送信通知を行う場合について説明したが、この実施の形態２では呼設定（フェーズＡ）で通知信号を送出してメール送信通知を行う場合について説明する。
【０１０６】
図１０は、本発明の実施の形態２に係るインターネットファクシミリ装置のＩＦＡＸ処理部を示すブロック図である。上記実施の形態１に係るＩＦＡＸ１，５と同じ構成については図４と同一の符号を付し、説明を省略する。
【０１０７】
この実施の形態２のＩＦＡＸ１’，５’は、通知信号生成部１００１は、メール送信通知の各情報を含む通知信号を生成し、ファクシミリ制御部１００を制御してファクシミリ通信のフェーズＡで相手方に送信する。この通知信号は、通常のファクシミリ通信手順では使用されていない信号周波数を使用する。
【０１０８】
通知信号識別部１００２は、相手方から送信された通知信号を識別し、識別した結果に応じてメール受信部４０６を制御する。
【０１０９】
通知信号確認信号送出部１００３は、通知信号識別部１００２が通知信号を識別したときに通知信号の発信元に通知信号確認信号を送信する。この通信信号確認信号も、通常のファクシミリ通信手順では使用されていない信号周波数を使用する。通知信号確認信号検出部１００４は、相手方から送信された通知信号確認信号を検出する。
【０１１０】
図１１は、本発明の実施の形態２に係る送信側のインターネットファクシミリ装置の動作を示すフロー図である。図１２は、上記実施の形態２に係る受信側のインターネットファクシミリ装置の動作を示すフロー図である。図１１および図１２では、上記実施の形態１と同様の処理については図５、図６と同一の符号を付す。
【０１１１】
まず、図１１に示すように、ＳＴ５０１〜ＳＴ５０７の電子メール送信が完了した後、送信側のＩＦＡＸ１’は、メール送信通知の処理に移行する。まず、ファクシミリ制御部１００は、モデム１４を制御して電話回線を閉結し、受信側のＩＦＡＸ５のファクシミリ番号を発呼させる（ＳＴ５０８）。図１２に示すように、受信側のＩＦＡＸ５’は、送信側のＩＦＡＸ１’から着呼があると（ＳＴ６０１）、回線の設立を待つ（ＳＴ６０２）。
【０１１２】
図１１に戻り、送信側のＩＦＡＸ１’において、回線が設立したならば（ＳＴ５０９）、通知信号生成部１００１は、メール送信通知の各情報を生成し、これらの信号をファクシミリ通信のフェーズＡで通知信号として受信側のＩＦＡＸ５’へ送信する（ＳＴ１１０１）。この実施の形態２では、通知信号に、メール送信済み通知情報と、送信データ情報として電子メールに添付した送信ファイルのデータ形式と、取出情報としてメール送信通知後の待機時間が含まれている。しかし、本発明はこれにより限定されないことはいうまでもない。
【０１１３】
受信側のＩＦＡＸ５’は、図１２に示すように、通知信号識別部１００２は通知信号を検知すると（ＳＴ１２０１）、ＩＦＡＸ５’が通知受信機能がアクティブか否か判定する（ＳＴ１２０２）。通知受信機能がアクティブである場合、通知信号識別部１００２は、通知信号確認信号送出部１００３へ通知信号確認信号を送信側のＩＦＡＸ１’へ返すことを命令する。（ＳＴ１２０３）。その後、回線を切断する（ＳＴ１２０４）。通知受信機能がない場合、通知信号識別部１００２は、ファクシミリ制御部１００に通常のファクシミリ受信を実行させる（ＳＴ６１２）。
【０１１４】
通知信号識別部１００２は、通知信号に含まれる送信データ情報に基づいて電子メールに添付された送信ファイルのデータ形式が、送信側のＩＦＡＸ５が受信可能な形式か否か判定する（ＳＴ６０７）。ここで、送信ファイルのデータ形式が受信可能な形式でない場合、例えばパネル操作部２１に設けたディスプレイ等を用いて、ユーザに電子メールを受信できない旨を報知し（ＳＴ６０８）、ダイヤルアップ接続することなく処理を終了する。
【０１１５】
一方、送信ファイルのデータ形式が受信可能な形式である場合、通知信号識別部１００２は、通知信号に含まれる取出情報に基づいて、送信側から指定された待機時間をタイマ２２で測定する（ＳＴ６０９）。待機時間が経過したならば、メール受信部４０６は、オートダイヤラ４０５に受信側プロバイダ４への接続を自動的に行わせる（ＳＴ６１０）。接続完了後、メール受信部４０６は、受信側プロバイダ４のメールサーバから電子メールを受信する（ＳＴ６１１）。その後、画情報を含む電子メールの内容は、プリンタ２０で印刷される。
【０１１６】
受信側のＩＦＡＸ５’では、ＳＴ１２０２で通知受信機能がアクティブでないと判断したならば通知信号確認信号を送出しないので、図１１のＳＴ１１０２において、送信側のＩＦＡＸ１’の通知信号確認検知部１００４は、通知信号確認信号が返って来たか否か判定し、通知信号確認信号が返って来たならば、回線を切断する（ＳＴ１１０３）。一方、通知信号確認信号が返って来なかったならば、メール送信通知書を画信号として送信する（ＳＴ５１２）。
【０１１７】
一方、図１２に示すＳＴ１２０１でフェーズＡで通知信号を検出しなかった場合、および、ＳＴ１２０２で、受信側のＩＦＡＸ５’が通知受信機能がアクティブでない場合、受信側のＩＦＡＸ５’は、通常通りのファクシミリ受信を行う（ＳＴ６１２）。ここで受信したＦＡＸ文書がメール送信通知書であるか否か判定し（ＳＴ６１３）、もしメール送信通知書であれば、ユーザによる手動による電子メールの受信の指示に従って、メール受信部４０６は、オートダイヤラ４０５に受信側プロバイダ４への接続を行わせる（ＳＴ６１４）。接続完了後、メール受信部４０６は、受信側プロバイダ４のメールサーバから電子メールを受信する（ＳＴ６１１）。その後、画情報を含む電子メールの内容は、プリンタ２０で印刷される。
【０１１８】
上記実施の形態２によれば、上記実施の形態１と同様の効果を奏する他、メール送信通知をフェーズＡの中で専用の通信信号を用いて行うので、メール送信通知の通信時間が短時間で良い、すなわち、通信料金の低減が図られるというさらなる効果を奏する。
【０１１９】
（実施の形態３）
以下の実施の形態３では、ファクシミリ手順のフェーズＢの送信端末識別信号（ＴＳＩ）に、通知信号を送出してメール送信通知を行う場合について説明する。
【０１２０】
図１３は、本発明の実施の形態３に係るインターネットファクシミリ装置のＩＦＡＸ処理部を示すブロック図である。この実施の形態３に係る送信側および受信側のＩＦＡＸ１”、５”は、上記実施の形態１に係るＩＦＡＸ１，５と一部同様のハードウエアおよびソフトウエア構成からなるので、同じ構成については図４と同一の符号を付し、説明を省略する。
【０１２１】
メール送信通知実行部１３００は、ファクシミリ制御部１００に対し、通常のファクシミリ手順のＴＳＩで送信側から予め登録された自機の電話番号を送信させるようになっている。この実施の形態３では、自機の電話番号をＴＳＩコードＡ１３０１としてＲＡＭ１３に登録する他に、この自機の電話番号以外の所定の番号（例えば０００１）をＴＳＩコードＢ１３０２としてＲＡＭ１３に予め登録しておく。送信側のＩＦＡＸ１”のファクシミリ制御部１００は、メール送信通知部４０９が、メール送信を検知したときに、フェーズＢでＴＳＩ信号を送信するときに、通常のＴＳＩコードＡ１３０１に代えて、電子メール送信を示すＴＳＩコードＢを送信する。
【０１２２】
一方、受信側のＩＦＡＸ５”のファクシミリ制御部１００は、ＴＳＩコードを識別すると、この結果をメール送信通知処理部１３０３に通知する。メール送信通知処理部１３０３は、受信したＴＳＩコードと、自機のＲＡＭ１３に記憶したＴＳＩコードＢ１３０２とを比較する。両者が一致したならば、送信側のＩＦＡＸ１”より電子メールの送信があったと判定し、メール受信部４０６に電子メールの受信を指示するようになっている。
【０１２３】
図１４は、本発明の実施の形態３に係る送信側のインターネットファクシミリ装置の動作を示すフロー図である。図１５は、上記実施の形態３に係る受信側のインターネットファクシミリ装置の動作を示すフロー図である。図１４および図１５では、上記実施の形態１と同様の処理については図５、図６と同一の符号を付す。
【０１２４】
まず、図１４に示すように、ＳＴ５０１〜ＳＴ５０７の電子メール送信が完了した後、送信側のＩＦＡＸ１”は、メール送信通知の処理に移行する。まず、ファクシミリ制御部１００は、モデム１４を制御して電話回線を閉結し、受信側のＩＦＡＸ５のファクシミリ番号を発呼させる（ＳＴ５０８）。図１５に示すように、受信側のＩＦＡＸ５”は、送信側のＩＦＡＸ１”から着呼があると（ＳＴ６０１）、回線の設立を待つ（ＳＴ６０２）。回線が設立した後、非標準能力通知部４１１は、自機が通知受信能力を有しているか否か判定する（ＳＴ６０３）。通知受信機能がある場合、送信側のＩＦＡＸ５へ「通知受信機能あり」を提示するＮＳＦを送信する（ＳＴ６０４）。
【０１２５】
図１４に戻り、送信側のＩＦＡＸ１”において、回線が設立した後（ＳＴ５０９）、非標準能力検知部４１２は、ＮＳＦ中に「通知受信能力あり」の情報が含まれているか否か判定する（ＳＴ５１０）。「通知受信能力あり」の情報が含まれているならば、メール送信通知実行部１３００は、ファクシミリ制御部１００に、ファクシミリ手順（フェーズＢ）のＴＩＳでＴＩＳコードＢ１３０２を送信することを指示する（ＳＴ１４０１）。一方、「通知受信能力あり」の情報がＮＳＦに含まれていないならば、メール送信通知書を画信号として送信する（ＳＴ５１２）。ファクシミリ制御信号または画信号によるメール送信通知が終了した後、送信側のＩＦＡＸ１”は、受信側のＩＦＡＸ５との回線を切断する（ＳＴ５１３）。
【０１２６】
受信側のＩＦＡＸ５”では、図１５に示すように、メール送信通知処理部１３０３は、ファクシミリ制御部１００が送信側から受信したＴＳＩコードを受け取る（ＳＴ１５０１）。その後、送信側にて、送信通知目的の通信であるならば送信側が回線を切断し、反対に、送信通知目的の通信でないならば通常のＦＡＸ受信となる。そこで、受信側のＩＦＡＸ５”では、回線が切断されたか否か判定し（ＳＴ１５０２）、回線が切断された場合ＳＴ１５０３に進み、回線が切断されなかったならばＳＴ６１２に進む。
【０１２７】
ＳＴ１５０３では、メール送信通知処理部１３０３は、このＴＳＩコードとＲＡＭ１３に登録されたＴＳＩコードＢ１３０２とを比較する。次いで、ＳＴ１５０４において、メール送信通知処理部１３０３は、両者が一致したならば電子メール送信であると判定し、両者が一致しないならば電子メール送信でないと判定する。
【０１２８】
電子メール送信であった場合、メール受信部４０６は、オートダイヤラ４０５に受信側プロバイダ４への接続を自動的に行わせる（ＳＴ６１０）。接続完了後、メール受信部４０６は、受信側プロバイダ４のメールサーバから電子メールを受信する（ＳＴ６１１）。その後、画情報を含む電子メールの内容は、プリンタ２０で印刷される。
【０１２９】
また、ＳＴ１５０４において、電子メール送信でなかった場合そのまま処理を終了する。
【０１３０】
受信側のＩＦＡＸ５”は、ＳＴ１５０１でＴＳＩコードを受信しなかった場合、送信側の通常のファクシミリ通信である可能性が高いので、通常通りのファクシミリ受信を行う（ＳＴ６１２）。
【０１３１】
また、受信側のＩＦＡＸ５”は、ＳＴ１５０２でＴＳＩコードを受信したが送信側のＩＦＡＸ１”が回線接続を切断しなかった場合、その後通常のファクシミリ手順に従って送信側から画情報が送信されてくるので、通常通りのファクシミリ受信を行う（ＳＴ６１２）。
【０１３２】
ＳＴ６１２の後、ここで受信したＦＡＸ文書がメール送信通知書であるか否か判定し（ＳＴ６１３）、もしメール送信通知書であれば、ユーザによる手動による電子メールの受信の指示に従って、メール受信部４０６は、オートダイヤラ４０５に受信側プロバイダ４への接続を行わせる（ＳＴ６１４）。接続完了後、メール受信部４０６は、受信側プロバイダ４のメールサーバから電子メールを受信する（ＳＴ６１１）。その後、画情報を含む電子メールの内容は、プリンタ２０で印刷される。
【０１３３】
上記実施の形態３によれば、メール送信通知を予め定めた自機の電話番号以外の専用の番号、すなわちＴＳＩコードＢ１３０２を用いて行う。これにより、専用番号がパスワードとして機能し、機密性が高まる。また、電話番号を間違えたために、本来の送信先と異なる送信先のＩＦＡＸに送信通知のみが届くということがある。このとき、本実施の態様３によれば、専用番号を用いているので、間違えた送信通知に基づいて受信側のＩＦＡＸが無駄な確認接続を行うという事態が発生するのを防止できる等の効果を奏する。
【０１３４】
なお、上記実施の形態３では、メール送信通知において送信側から受信側へ専用のＴＳＩコードＢ１３０２だけを送信しているが、図１６に示すように、実施の形態１、２と同様に、ＴＳＩに、ＴＳＩコード１６０１の他、送信済みコード１６０２、データ形式コード１６０３、および、待機時間コード１６０４等を含め、これらを送信しても良い。これにより、実施の形態３も、上記実施の形態１，２と同様の効果を奏する。
【０１３５】
また、上記実施の形態３において、送信側のＩＦＡＸ１”がプロバイダと接続している間に他のユーザが原稿送信の操作等の準備を行っているときには、その送信処理を待たせておく。逆に、他のユーザの送信処理を優先する場合は、送信側のＩＦＡＸ１”は、メール送信通知処理を送信予約情報として記憶しておくことも可能である。
【０１３６】
（実施の形態４）
以下の実施の形態４では、公衆電話回線網の交換機からのコーラーＩＤ（発信者番号通知）を使ってメール送信通知を行う場合について説明する。
【０１３７】
図１７は、本発明の実施の形態４に係るインターネットファクシミリ装置のＩＦＡＸ処理部を示すブロック図である。この実施の形態４に係る送信側および受信側のＩＦＡＸ１’’’、５’’’は、図２および図３に示すＩＦＡＸ１、５と一部同様のハードウエアおよびソフトウエア構成からなるので、以下の説明では上記実施の形態１に係るＩＦＡＸ１，５と同じ構成については図４と同一の符号を付し、説明を省略する。
【０１３８】
この実施の形態４に係るＩＦＡＸ１’’’において、メール送信通知部１７０１は、メール送信部４０４が受信側のＩＦＡＸ５’’’へ電子メールを送信したことを検知したならば、ファクシミリ制御部１００に受信側のＩＦＡＸ５’’’に発呼させるようになっている。この発呼に応じて、ＰＳＴＮ１６上の交換機１７０２は、受信側のＩＦＡＸ５’’’へ発信者番号通知を行う。また、ファクシミリ制御部１００は、メール送信通知を行うときは、交換機１７０２からのリングバックトーンを検知した時点で発呼を停止するようなっている。
【０１３９】
一方、受信側のＩＦＡＸ５’’’のモデム１４は、国際電気通信連合（ＩＴＵ）が規定するＩＴＵ−Ｖ２３に準拠し、交換機１７０２からのコーラーＩＤを受信し、発信元の電話番号を認識する。
【０１４０】
コーラーＩＤ比較部１７０３は、ＲＡＭ１３内のメール送信者番号記憶エリア１７０４に予め登録された少なくとも１つの電話番号と、認識した発信元の電話番号とを比較し、両者が一致したならば発信元から電子メールの送信があったと判断する。そして、メール受信部４０６に対して、電子メールの受信を指示する。
【０１４１】
図１８は、上記実施の形態４に係る送信側のインターネットファクシミリ装置の動作を示すフロー図である。図１９は、上記実施の形態４に係る受信側のインターネットファクシミリ装置の動作を示すフロー図である。図１８および図１９では、上記実施の形態１と同様の処理については図５、図６と同一の符号を付す。
【０１４２】
まず、図１８に示すように、ＳＴ５０１〜ＳＴ５０７の電子メール送信が完了した後、送信側のＩＦＡＸ１’’’は、メール送信通知の処理に移行する。まず、ファクシミリ制御部１００は、モデム１４を制御して電話回線を閉結し、受信側のＩＦＡＸ５のファクシミリ番号を発呼させる（ＳＴ１８０１）。この発呼に応じて、交換機１７０２は、受信側のＩＦＡＸ５’’’に対し、コーラーＩＤ着信信号（カー信号）を送信する。
【０１４３】
図１９に示すように、受信側のＩＦＡＸ５’’’は着呼を待っている（ＳＴ１９０１）。より具体的には、受信側のＩＦＡＸ５’’’は、交換機１７０２からのカー信号の有無を監視している。カー信号を検知すると、回線を閉結する。次に、Ｖ２３ＲＸ制御部としてのモデム１４が交換機１７０２が送信したコーラーＩＤを所定の手順により受信する。このように、ＩＦＡＸ５’’’は、交換機１７０２と協働して、発信者番号通知の一次応答を実行する。その後、モデム１４はコーラーＩＤから発信元の電話番号を認識し、ファクシミリ制御部１００に渡す。ファクシミリ制御部１００は、この発信元の電話番号をＩＦＡＸ制御部４００のコーラーＩＤ比較部１７０３に渡す。このリングバックトーンは、交換機１７０２が受信側のＩＦＡＸ５’’’を呼び出しているときに、送信側のＩＦＡＸ１’’’に返される。もし受信側のＩＦＡＸ５’’’が話中で呼び出せないときは、ビージートーンが返される。
【０１４４】
その後、コーラーＩＤ比較部１７０３は、ＳＴ１９０２において、コーラーＩＤの受信、すなわち送信者番号通知があったならば、発信元の電話番号と、メール送信者番号記憶エリア１７０４に登録された電話番号とを比較し、発信元の電話番号がメール送信者番号記憶エリア１７０４に登録済みか否か判定する（ＳＴ１９０３）。
【０１４５】
次いで、コーラーＩＤ比較部１７０３は、発信元の電話番号が登録済みであったならば、着呼が規定時間継続したか否か判定する（ＳＴ１９０４）。これは、着呼がメール送信通知なのかＦＡＸ送信なのかを判定するためである。ＳＴ１９０４がＮｏであれば、コーラーＩＤ比較部１７０３は、メール受信部４０６に電子メールの受信を指示する。メール受信部４０６は、オートダイヤラ４０５に受信側プロバイダ４への接続を自動的に行わせる（ＳＴ６１０）。接続完了後、メール受信部４０６は、受信側プロバイダ４のメールサーバから電子メールを受信する（ＳＴ６１１）。その後、画情報を含む電子メールの内容は、プリンタ２０で印刷される。
【０１４６】
受信側のＩＦＡＸ５’’’は、ＳＴ１９０２でコーラーＩＤを受信しなかった場合、送信側がＦＡＸ送信を望んでいる、すなわちメール通信でないと判断し、通常通りのファクシミリ受信を行う（ＳＴ６１２）。
【０１４７】
また、受信側のＩＦＡＸ５”は、ＳＴ１９０３で発信元の電話番号がメール送信者番号記憶エリア１７０４に登録されていなかったならば、その後通常のファクシミリ手順に従って送信側から画情報が送信されてくるので、通常通りのファクシミリ受信を行う（ＳＴ６１２）。
【０１４８】
また、ＳＴ１９０４において、規定時間の着呼継続をしたならば、送信側がＦＡＸ送信を望んでいる、すなわちメール通信でないと判断し、通常通りのファクシミリ受信を行う（ＳＴ６１２）。
【０１４９】
ＳＴ６１２の後、ここで受信したＦＡＸ文書がメール送信通知書であるか否か判定し（ＳＴ６１３）、もしメール送信通知書であれば、ユーザによる手動による電子メールの受信の指示に従って、メール受信部４０６は、オートダイヤラ４０５に受信側プロバイダ４への接続を行わせる（ＳＴ６１４）。接続完了後、メール受信部４０６は、受信側プロバイダ４のメールサーバから電子メールを受信する（ＳＴ６１１）。その後、画情報を含む電子メールの内容は、プリンタ２０で印刷される。
【０１５０】
上記実施の形態４によれば、送信側のＩＦＡＸ１’’’はメール送信通知を発信者番号通知サービスを利用して行うことができるので、図１８のＳＴ１８０２に示すように送信側のＩＦＡＸ１’’’が交換機１７０２からのリングバックトーンを検知したところで発呼を停止する、言い換えれば、発呼だけでメール送心通知を実施できるので、通信料金が発生する前でメール送信通知を完了できる。この結果、メール送信通知のためだけに公衆電話回線網の通信料金がかかるのを防止し、通信費をより一層低減することができる効果を奏する。
【０１５１】
上記実施の形態１〜４では、モデム１４を使ってＰＳＴＮ１６上でメール送信通知を行った場合について例示したが、もちろんデジタル通信回路１７を使ってＩＳＤＮ１８上でメール送信通知を行うことも可能であることはいうまでもない。
【０１５２】
また、上記実施の形態１〜５では、送信側のＩＦＡＸ１、１’、１”、１’’’は、ダイヤルアップ接続によりインターネットに接続しているが、送信側はＬＡＮまたは常時接続であっても良く、この場合にも、受信側のＩＦＡＸでのダイヤルアップ接続を適正化する効果を同様に得ることができる。
【０１５３】
【発明の効果】
以上のように本発明によれば、送信装置からのメール送信通知に、受信タイミングに関する情報を含めることにより、ダイヤルアップＩＦＡＸにおいて接続確認の空振りを無くして接続料金を削減できるという効果を奏する。
【図面の簡単な説明】
【図１】本発明の実施の形態１に係るＩＦＡＸが動作するネットワークシステムを示す概念図
【図２】上記実施の形態１に係るインターネットファクシミリ装置のハードウエアを示すブロック図
【図３】上記実施の形態１に係るインターネットファクシミリの機能を示すブロック図
【図４】上記実施の形態１に係るインターネットファクシミリ装置のＩＦＡＸ処理部を示すブロック図
【図５】上記実施の形態１に係る送信側のインターネットファクシミリ装置の動作を示すフロー図
【図６】上記実施の形態１に係る受信側のインターネットファクシミリ装置の動作を示すフロー図
【図７】上記実施の形態１におけるメール送信通知を含む非標準手順の例を示す図
【図８】上記実施の形態１におけるメール送信通知を含む非標準手順の例を示す図
【図９】上記実施の形態１におけるメール送信通知を含む非標準手順の例を示す図
【図１０】本発明の実施の形態２に係るインターネットファクシミリ装置のＩＦＡＸ処理部を示すブロック図
【図１１】上記実施の形態２に係る送信側のインターネットファクシミリ装置の動作を示すフロー図
【図１２】上記実施の形態２に係る受信側のインターネットファクシミリ装置の動作を示すフロー図
【図１３】本発明の実施の形態３に係るインターネットファクシミリ装置のＩＦＡＸ処理部を示すブロック図
【図１４】上記実施の形態３に係る送信側のインターネットファクシミリ装置の動作を示すフロー図
【図１５】上記実施の形態３に係る受信側のインターネットファクシミリ装置の動作を示すフロー図
【図１６】上記実施の形態３におけるメール送信通知を含む非標準手順の例を示す図
【図１７】本発明の実施の形態４に係るインターネットファクシミリ装置のＩＦＡＸ処理部を示すブロック図
【図１８】上記実施の形態４に係る送信側のインターネットファクシミリ装置の動作を示すフロー図
【図１９】上記実施の形態４に係る受信側のインターネットファクシミリ装置の動作を示すフロー図
【符号の説明】
１，５  ＩＦＡＸ
１４  モデム
１７  デジタル通信回路
１８  ＩＳＤＮ
１９  スキャナ
２０  プリンタ
２１  パネル操作部
２２  タイマ
１００  ファクシミリ制御部
２００  スキャナ制御部
３００  プリンタ制御部
４００  ＩＦＡＸ制御部
４０１  圧縮伸長部
４０２  ＴＩＦＦ変換部
４０３  メール作成部
４０４  メール送信部
４０５  オートダイヤラ
４０６  メール受信部
４０７  バイナリ変換部
４０８  ＴＩＦＦ展開部
４０９  メール送信通知生成部
４１０  メール送信通知処理部
４１１  非標準能力通知部
４１２  非標準能力検知部
【図１】
0003545670.tif 000002
【図２】
0003545670.tif 000003
【図３】
0003545670.tif 000004
【図４】
0003545670.tif 000005
【図５】
0003545670.tif 000006
【図６】
0003545670.tif 000007
【図７】
0003545670.tif 000008
【図８】
0003545670.tif 000009
【図９】
0003545670.tif 000010
【図１０】
0003545670.tif 000011
【図１１】
0003545670.tif 000012
【図１２】
0003545670.tif 000013
【図１３】
0003545670.tif 000014
【図１４】
0003545670.tif 000015
【図１５】
0003545670.tif 000016
【図１６】
0003545670.tif 000017
【図１７】
0003545670.tif 000018
【図１８】
0003545670.tif 000019
【図１９】
0003545670.tif 000020